(57)【要約】【課題】排水設備からの汚水が貯留手段に排出される汚水排出システムにおいて、汚水の排出先を下水本管に効率よく変更することが可能な汚水排出システムおよびそれと下水本管とを接続する方法を提供する。【解決手段】汚水排出システム１Ａは、汚水の流路切替機能を有する汚水ます４０を備えている。汚水ます４０は、上方に開口する点検口５１と、第１流出管路１１の下流端が接続された流入口５２と、下水本管が接続可能な第１流出口５３と、貯留手段７０が接続された第２流出口５４とを有するます本体４１と、ます本体４１に設けられ、流入口５２から第２流出口５４へ汚水が流れないように流入口５２と第１流出口５３とを連通させる第１の切替位置と、流入口５２から第１流出口５３へ汚水が流れないように流入口５２と第２流出口５４とを連通させる第２の切替位置との間で位置変更が可能な切替手段４２とを備えている。【選択図】図１
2015137469.tif 000002
【特許請求の範囲】
【請求項１】
地中に埋設された汚水排出システムであって、
上流端が排水設備に接続された第１流出管路と、
前記第１流出管路の下流端に接続された汚水ますと、
前記汚水ますに接続され、汚水を貯留する貯留手段と、
を備え、
前記汚水ますは、
上方に開口する点検口と、前記第１流出管路の下流端が接続された流入口と、下水本管が接続可能な第１流出口と、前記貯留手段が接続された第２流出口と、を有するます本体と、
前記ます本体に設けられ、前記流入口から前記第２流出口へ汚水が流れないように前記流入口と前記第１流出口とを連通させる第１の切替位置と、前記流入口から前記第１流出口へ汚水が流れないように前記流入口と前記第２流出口とを連通させる第２の切替位置との間で位置変更が可能な切替手段と、
を備えた、汚水排出システム。
【請求項２】
前記汚水ますは、公共ますである、請求項１に記載された汚水排出システム。
【請求項３】
上流端が前記汚水ますの前記第１流出口に接続され、下流端には前記下水本管に接続可能な第２流出管路を備えた、請求項１に記載された汚水排出システム。
【請求項４】
前記第２流出管路の下流端には、公共ますが接続されている、請求項３に記載された汚水排出システム。
【請求項５】
前記汚水ますの前記第１流出口には、前記第１流出口を閉塞する封止キャップが設けられている、請求項１または２に記載された汚水排出システム。
【請求項６】
前記貯留手段は、汚水を浄化する浄化手段を備えた浄化槽である、請求項１から５までの何れか一つに記載された汚水排出システム。
【請求項７】
前記第２流出口は、前記流入口および前記第１流出口よりも低い位置に設けられ、かつ下方に開口し、
前記切替手段は、前記第２流出口に着脱自在に設けられた蓋体である、請求項１から６までの何れか一つに記載された汚水排出システム。
【請求項８】
前記第１流出口は、前記流入口および前記第２流出口よりも低い位置に設けられ、かつ下方に開口し、
前記切替手段は、前記第１流出口に着脱自在に設けられた蓋体である、請求項１から６までの何れか一つに記載された汚水排出システム。
【請求項９】
請求項１に記載された汚水排出システムと、下水本管とを接続する方法であって、
前記汚水ますの前記第１流出口と前記下水本管とを接続する箇所の土砂を取り除く工程と、
前記第１流出口と前記下水本管とを接続する工程と、
前記土砂を取り除いた箇所に土砂を被せる工程と、
前記切替手段を前記第１の切替位置に配置する工程と、
を含む、汚水排出システムと下水本管とを接続する方法。
【発明の詳細な説明】
【技術分野】
【０００１】
本発明は、汚水排出システムおよびそれと下水本管とを接続する方法に関する。
【背景技術】
【０００２】
従来から、排水設備から流出した汚水を浄化槽などの貯留手段に排出する汚水排出システムが知られている（例えば、特許文献１）。排水設備としては、例えば、トイレ、風呂、または台所の流し台などが挙げられる。この種の汚水排出システムは、下水本管などの下水道の設備が整備されていない地域の地中に埋設された状態で使用されている。汚水排出システムは、排水設備と浄化槽とを繋ぐ流出管路を備えている。排水設備から流出した汚水は、流出管路を通じて浄化槽に排出される。
【先行技術文献】
【特許文献】
【０００３】
【特許文献１】特開２０１２−２１３６９８号公報
【発明の概要】
【発明が解決しようとする課題】
【０００４】
ところで、下水道の設備が整備されていない地域において、下水道の設備が整備された場合、排水設備から流出する汚水が下水本管に排出されるように、排水設備と浄化槽とを繋ぐ流出管路を、排水設備と下水本管とを繋ぐように改修する。このとき、流出管路を改修する箇所の周囲の土砂を取り除き、流出管路における浄化槽との接続箇所を切断し、流出管路と下水本管とを接続する。そして、改修した流出管路の箇所を土砂で被せる。以上のような手順で作業をするため、流出管路を改修する作業コストおよび作業時間が多くかかってしまっていた。
【０００５】
本発明はかかる点に鑑みてなされたものであり、その目的は、排水設備から流出する汚水が貯留手段に排出される汚水排出システムにおいて、汚水の排出先を下水本管に効率よく変更することが可能な汚水排出システムおよびそれと下水本管とを接続する方法を提供することである。
【課題を解決するための手段】
【０００６】
本発明に係る汚水排出システムは、地中に埋設された汚水排出システムであって、上流端が排水設備に接続された第１流出管路と、前記第１流出管路の下流端に接続された汚水ますと、前記汚水ますに接続され、汚水を貯留する貯留手段と、を備えている。前記汚水ますは、上方に開口する点検口と、前記第１流出管路の下流端が接続された流入口と、下水本管が接続可能な第１流出口と、前記貯留手段が接続された第２流出口と、を有するます本体と、前記ます本体に設けられ、前記流入口から前記第２流出口へ汚水が流れないように前記流入口と前記第１流出口とを連通させる第１の切替位置と、前記流入口から前記第１流出口へ汚水が流れないように前記流入口と前記第２流出口とを連通させる第２の切替位置との間で位置変更が可能な切替手段と、を備えている。
【０００７】
前記汚水排出システムによれば、下水道の設備が整備されていない場合、切替手段を第２の切替位置に配置することで、排水設備から排出された汚水は、汚水ますの第２流出口から貯留手段へ排出される。一方、下水道の設備が整備された場合、汚水ますの第１流出口と下水本管とを繋げると共に、切替手段を第２の切替位置から第１の切替位置に位置を変更する。このことによって、排水設備から排出された汚水は、汚水ますの第１流出口から下水本管へ排出される。よって、従来のような管路を切断する工程を行うことなく、排水設備と下水本管とを繋いで、汚水の排出先を下水本管に変更する作業をすることができる。したがって、作業コストを削減することができると共に、作業時間を短縮することができる。
【０００８】
排水設備から排出される汚水には、トイレットペーパーなどの異物が含まれる場合があり、その異物がます本体内に堆積する場合がある。そのため、異物によって、汚水ますの流路切替機能が損なわれるおそれがある。しかし、前記汚水排出システムによれば、汚水ますは点検口を備えているため、ます本体内のメンテナンスが容易である。よって、ます本体内に異物が詰まった場合、点検口から異物を容易に取り除くことができる。したがって、流路切替機能を十分に確保することができ、切替手段の切替位置を変更する場合に、切り替えることができない事態を回避し易くなる。
【０００９】
本発明の好ましい一態様によれば、前記汚水ますは、公共ますである。
【００１０】
公共ますは、敷地内の汚水が合流する最終ますのことである。公共ますは、管路を介して下水本管に接続されるものである。上記態様によれば、下水道の設備が整備された場合、汚水ますと下水本管とを繋げる管路を短くすることができる。そのため、作業コストを削減することができると共に、作業時間を短縮することができる。
【００１１】
本発明の好ましい他の一態様によれば、上流端が前記汚水ますの前記第１流出口に接続され、下流端が前記下水本管に接続可能な第２流出管路を備えている。
【００１２】
上記態様によれば、汚水ますと下水本管とを接続する第２流出管路が事前に第１流出口に接続されている。そのため、排水設備から排出された汚水を第１流出口から下水本管に排出するために、排水設備と下水本管とを繋ぐ作業をする際、第２流出管路を設置するための穴を掘る必要がない。よって、作業コストを削減することができると共に、作業時間を短縮することができる。
【００１３】
本発明の好ましい他の一態様によれば、前記第２流出管路の下流端には、公共ますが接続されている。
【００１４】
上記態様によれば、第２流出管路の下流端には公共ますが事前に接続されている。そのため、下水道の設備が整備された場合、公共ますと下水本管とを繋げる管路を設置すればよい。また、上記管路には、他のますなどを設けなくてもよい。よって、作業コストをさらに削減することができると共に、作業時間を短縮することができる。
【００１５】
本発明の好ましい他の一態様によれば、前記汚水ますの前記第１流出口には、前記第１流出口を閉塞する封止キャップが設けられている。
【００１６】
上記態様によれば、下水道の設備が整備されておらず、排水設備から排出された汚水が第２流出口を通じて浄化槽へ排出されるときに、封止キャップによって、汚水が第１流出口から外部へ流出することを防止することができる。
【００１７】
本発明の好ましい他の一態様によれば、前記貯留手段は、汚水を浄化する浄化手段を備えた浄化槽である。
【００１８】
上記態様によれば、貯留手段内において、浄化手段によって汚水を浄化することができる。よって、浄化した汚水（以下、処理水ともいう。）を河川などに放流することができる。
【００１９】
本発明の好ましい他の一態様によれば、前記第２流出口は、前記流入口および前記第１流出口よりも低い位置に設けられ、かつ下方に開口している。前記切替手段は、前記第２流出口に着脱自在に設けられた蓋体である。
【００２０】
上記態様によれば、蓋体を第２流出口に装着すると、流入口と第１流出口とが連通し、流入口と第２流出口との連通が遮断される。よって、流入口からます本体に流入した汚水は、第２流出口から流出しない。一方、蓋体を第２流出口から取り外すと、流入口と第１流出口と第２流出口とが連通する。しかし、第２流出口は、流入口および第１流出口よりも低い位置に設けられている。よって、流入口からます本体に流入した汚水は、第１流出口から流出するのではなく、第２流出口から流出する。したがって、蓋体を第２流出口に装着したり、第２流出口から取り外したりすることによって、汚水の流路を容易に切り替えることができる。
【００２１】
本発明の好ましい他の一態様によれば、前記第１流出口は、前記流入口および前記第２流出口よりも低い位置に設けられ、かつ下方に開口している。前記切替手段は、前記第１流出口に着脱自在に設けられた蓋体である。
【００２２】
上記態様によれば、蓋体を第１流出口に装着すると、流入口と第２流出口とが連通し、流入口と第１流出口との連通が遮断される。よって、流入口からます本体に流入した汚水は、第１流出口から流出しない。一方、蓋体を第１流出口から取り外すと、流入口と第１流出口と第２流出口とが連通する。しかし、第１流出口は、流入口および第２流出口よりも低い位置に設けられている。よって、流入口からます本体に流入した汚水は、第２流出口から流出するのではなく、第１流出口から流出する。したがって、蓋体を第１流出口に装着したり、第１流出口から取り外したりすることによって、汚水の流路を容易に切り替えることができる。
【００２３】
本発明の汚水排出システムと下水本管とを接続する方法は、上述した排水設備から排出された汚水が第２流出口から浄化槽へ排出される汚水排出システムと、下水本管とを接続する方法であって、前記汚水ますの前記第１流出口と前記下水本管とを接続する箇所の土砂を取り除く工程と、前記第１流出口と前記下水本管とを接続する工程と、前記土砂を取り除いた箇所に土砂を被せる工程と、前記切替手段を前記第１の切替位置に配置する工程と、を含む方法である。
【００２４】
前記汚水排出システムと下水本管とを接続する方法によれば、汚水の排出先を浄化槽から下水本管に効率よく変更することが可能な上記接続方法を提供することができる。
【発明の効果】
【００２５】
本発明によれば、排水設備から流出する汚水が貯留手段に排出される汚水排出システムにおいて、汚水の排出先を下水本管に効率よく変更することが可能な汚水排出システムおよびそれと下水本管とを接続する方法を提供することができる。
【図面の簡単な説明】
【００２６】
【図１】第１実施形態に係る汚水排出システムの平面図である。
【図２】第１実施形態に係る汚水排出システムの正面図である。
【図３】汚水ますの平面図である。
【図４】汚水ますの正面断面図である。
【図５】汚水ますの側面図である。
【図６】蓋体の平面図である。
【図７】蓋体の正面図である。
【図８】蓋体の側面図である。
【図９】汚水ますと下水本管とを接続する手順を示す図である。
【図１０】汚水ますと下水本管とを接続する手順を示す図である。
【図１１】第２実施形態に係る汚水排出システムの平面図である。
【図１２】第３実施形態に係る汚水排出システムの平面図である。
【図１３】第４実施形態に係る汚水排出システムの平面図である。
【図１４】第５実施形態に係る汚水排出システムの正面図である。
【図１５】第６実施形態に係る汚水排出システムの平面図である。
【図１６】第６実施形態に係る汚水排出システムの正面図である。
【発明を実施するための形態】
【００２７】
以下、図面を参照しながら、本発明に係る汚水排出システムの各実施形態について説明する。ここで説明される各実施形態は、当然ながら特に本発明を限定することを意図したものではない。また、同じ作用を奏する部材・部位には同じ符号を付し、重複する説明は省略または簡略化する。
【００２８】
＜第１実施形態＞
先ず、第１実施形態に係る汚水排出システム１Ａについて説明する。図１は、本実施形態に係る汚水排出システム１Ａを示す平面図である。図２は、汚水排出システム１Ａの正面図である。ここでは、図１および図２の左、右をそれぞれ上流側、下流側とする。汚水排出システム１Ａは、排水設備５から流出した汚水を外部に排出するシステムである。「汚水」とは、例えばトイレ、風呂または台所の流し台などから排出される水であり、そのままでは河川に放流させることができないものである。「排水設備」とは、汚水を排出する設備のことであり、トイレ、風呂または台所の流し台などが挙げられる。図１では、汚水排出システム１Ａは、一つの排水設備５を備えているが、排水設備５の数は特に限定されない。排水設備５は複数あってもよい。汚水排出システム１Ａは、下水本管２５（図９参照）などの下水道の設備が整備されていない地域、または、既に下水道の設備は整備されているが、まだ下水道の設備の使用が開始されていない地域の地中に埋設されている。汚水排出システム１Ａは、流出管路１０と、汚水の流路を切り替えることが可能な汚水ます４０と、浄化槽７０とを備えている。
【００２９】
流出管路１０は、特に図示はしていないが、下流に向かって下方に傾斜している。流出管路１０は、第１流出管路１１および他の流出管路１３を備えている。第１流出管路１１は、排水設備５と汚水ます４０とを接続する管路である。第１流出管路１１の上流端は排水設備５に接続され、第１流出管路１１の下流端は汚水ます４０の流入口５２に接続されている。流出管路１３は、汚水ます４０と浄化槽７０とを接続する管路である。図２に示すように、流出管路１３の上流端には、汚水ます４０の第２流出口５４が接続され、流出管路１３の下流端には、浄化槽７０の接続口７２が接続されている。ここでは、汚水ます４０と浄化槽７０とは、流出管路１３を介して間接的に接続されている。なお、「管路」とは、水を流通させる通路を意味する。「管路」は、一本の配管により構成されていてもよく、複数本の配管とそれらを接続する継手とによって構成されていてもよい。
【００３０】
汚水ます４０は、汚水の流路を切り替えることが可能なますである。図３は、汚水ます４０の平面図である。図４は、汚水ます４０の正面断面図である。図５は、汚水ます４０の側面図であり、第１流出口５３側から見た図である。図４に示すように、汚水ます４０は、ます本体４１と蓋体４２とを備えている。
【００３１】
図５に示すように、ます本体４１は、上部が拡径した略筒状に形成されている。図４に示すように、ます本体４１の上部には、上方に開口する点検口５１が形成されている。ます本体４１の側部には、側方に開口する流入口５２および第１流出口５３が形成されている。ます本体４１の下部には、下方に開口する第２流出口５４が形成されている。図２に示すように、点検口５１には、点検筒５６が接続されている。ここでは、点検筒５６の上端が地面と略同じ高さになるように、汚水ます４０は地中に埋設されている。作業者は、点検筒５６を通じて、ます本体４１の内部に詰まりなどがないかを点検することができる。なお、点検筒５６の上端には、蓋５７が配置されている。点検筒５６は、蓋５７によって閉じられている。
【００３２】
図４に示すように、流入口５２は、ます本体４１の側部に設けられている。本実施形態では、流入口５２は、配管が挿入される受口であるが、配管が挿入される差口であってもよい。図１に示すように、前述の通り、流入口５２には第１流出管路１１が接続される。なお、本実施形態では流入口５２には、第１流出管路１１の一部をなす配管（図示せず）が直接接続されるが、流入口５２に上記配管が他の部材などを介して間接的に接続されていてもよい。
【００３３】
図４に示すように、第１流出口５３は、ます本体４１の側部であって、流入口５２と反対側に配置されている。本実施形態では、第１流出口５３は受口であるが、第１流出口５３は差口であってもよい。第１流出口５３には、下水本管２５（図９参照）が接続可能である。図１および図２では、第１流出口５３に下水本管２５が接続される前の状態が示されている。本実施形態では、図２に示すように、第１流出口５３には、第１流出口５３を閉塞する封止キャップ５８が設けられている。封止キャップ５８は、ます本体４１内部から第１流出口５３を塞ぐようなものであってもよい。ただし、封止キャップ５８は、ます本体４１の外側から第１流出口５３を覆うように設けられてもよい。
【００３４】
図４に示すように、第２流出口５４は、ます本体４１の下部に設けられており、下向きに開口している。第２流出口５４は、流入口５２および第１流出口５３よりも低い位置に設けられている。第２流出口５４は、平面視において、流入口５２と第１流出口５３との間に配置されている。図２に示すように、前述の通り、第２流出口５４には、流出管路１３が接続されている。第２流出口５４には、流出管路１３を介して浄化槽７０が間接的に接続されている。なお、第２流出口５４には、浄化槽７０が直接接続されていてもよい。
【００３５】
図４に示すように、蓋体４２は、ます本体４１内において汚水の流路を切り替える部材である。本実施形態では、蓋体４２が「切替手段」に対応する。蓋体４２は、流入口５２から第２流出口５４へ汚水が流れないように流入口５２と第１流出口５３とを連通させる切替位置（第１の切替位置）と、流入口５２から第１流出口５３へ汚水が流れないように流入口５２と第２流出口５４とを連通させる切替位置（第２の切替位置）との間で位置変更が可能なものである。本実施形態では、蓋体４２は、第２流出口５４に着脱自在に設けられている。蓋体４２が第２流出口５４に装着される（第１の切替位置の状態）と、第２流出口５４は閉鎖される。蓋体４２が第２流出口５４から取り外される（第２の切替位置の状態）と、第２流出口５４は開放される。地表から点検筒５６を通じて蓋体４２を容易に取り外しできるように、蓋体４２は点検口５１の下方に配置されている。図６は、蓋体４２の平面図である。図７は、蓋体４２の正面図である。図８は、蓋体４２の側面図である。図７に示すように、蓋体４２は、蓋本体６１と、持ち手６２と、嵌合凸部６３とを備えている。
【００３６】
図６に示すように、蓋本体６１は、流入口５２から第１流出口５３へ繋がる流路を形成する底面６５を備えている。図８に示すように、底面６５は、流入口５２の底面および第１流出口５３の底面と滑らかに連続するように、断面略Ｃの字状に形成されている。図７に示すように、持ち手６２は、蓋本体６１の上端から上方に延びるようにして蓋本体６１に設けられている。図８に示すように、持ち手６２は、断面略Ｃの字状に形成されている。図７に示すように、嵌合凸部６３は、第２流出口５４を閉塞すべく、第２流出口５４に嵌合可能な部位である。嵌合凸部６３は略円筒状である。本実施形態では、嵌合凸部６３の外周部には、ゴム製のシール部材６４が設けられている。このシール部材６４によって、第２流出口５４と蓋体４２の嵌合凸部６３との間のシールが図られている。
【００３７】
図２に示すように、浄化槽７０は、汚水を貯留する槽である。本実施形態では、浄化槽７０は、「貯留手段」に対応する。浄化槽７０は、排水設備５から流出した汚水を浄化する浄化手段を備えている。浄化槽７０は、例えば、内部に浄化手段としての微生物が投入されており、その微生物によって汚水に含まれる異物を取り除くと共に、汚水の汚れを分解することで汚水を浄化する槽である。浄化槽７０は地中に埋設されている。浄化槽７０は、タンクによって構成されており、内部に密封された空間を有している。浄化槽７０の上流部分の側面上部には、接続口７２が形成されている。前述の通り、接続口７２には、流出管路１３が接続されており、流出管路１３を介して汚水ます４０の第２流出口５４が接続されている。
【００３８】
浄化槽７０の下流部分の側面上部には、オーバーフロー管路７７の上流端が接続されている。浄化槽７０内で浄化された汚水（以下、浄化された汚水を「処理水」ともいう。）は、オーバーフロー管路７７の下流端から外部へ放流される。オーバーフロー管路７７の下流端は、特に限定されないが、例えば側溝（図示せず）に接続されている。ここでは、浄化槽７０に汚水が流入した場合、浄化槽７０内において汚水が浄化された処理水の水位が上昇してオーバーフロー管路７７との接続部位に達した際、処理水はオーバーフロー管路７７を介して外部へ放流される。
【００３９】
浄化槽７０の上面には、鉛直方向に円筒７８が突設されている。円筒７８は、上端が地面と略同一の高さとなるようにして、浄化槽７０の上面に設けられている。作業者は、円筒７８を介して浄化槽７０内の保守および点検をすることができる。なお、浄化槽７０内の保守および点検が行われない場合には、円筒７８の上部は蓋７９によって閉塞されている。
【００４０】
次に、本実施形態に係る汚水排出システム１Ａの利用方法について説明する。図１に示すように、本実施形態では、汚水ます４０の第２流出口５４を塞ぐ蓋体４２（図４参照）が取り外されており、第２流出口５４が開放された状態である。排水設備５から排出された汚水は、第１流出管路１１に流入し、汚水ます４０の流入口５２からます本体４１に流入する。このとき、第２流出口５４は開放されている。また、第１流出口５３は封止キャップ５８によって閉塞されている。そのため、ます本体４１に流入した汚水は、第１流出口５３から流出せずに、第２流出口５４からます本体４１の外へ流出する。第２流出口５４から流出した汚水は、流出管路１３を介して浄化槽７０に排出される。浄化槽７０へ排出された汚水は、微生物などによって浄化される。そして、浄化槽７０で汚水が浄化された処理水は、水位が浄化槽７０のオーバーフロー管路７７の接続箇所に達した場合、オーバーフロー管路７７を介して外部へ放流される。
【００４１】
ところで、下水道の設備が整備されていない地域において、下水道の設備が整備された場合、排水設備５から排出された汚水が下水本管２５に排出されるように排水設備５と下水本管２５とを繋げるように、汚水排出システム１Ａを改修する作業が必要なことがある。そこで、次に、汚水排出システム１Ａと下水本管２５とを接続する手順について説明する。
【００４２】
図９および図１０は、汚水排出システム１Ａと下水本管２５とを接続する手順を示した図である。ここでは、図９において汚水排出システム１Ａの右方に下水本管２５が設置された場合について説明する。本実施形態では、汚水ます４０の第１流出口５３に第２流出管路１２の上流端を接続し、第２流出管路１２の下流端に下水本管２５を接続する。このことによって、汚水排出システム１Ａと下水本管２５とを接続する。なお、図１０に示すように、第２流出管路１２の途中には、公共ます２６が設けられている。
【００４３】
先ず、汚水ます４０の第１流出口５３と下水本管２５との間であって、第２流出管路１２を配置する箇所の土砂を取り除く工程を行う。図９に示すように、第２流出管路１２を配置する箇所の土砂を取り除いて、空間Ｓを形成する。この空間Ｓは、作業にかかる時間および作業にかかる費用を考慮して、平面視において、第２流出管路１２よりも多少広い幅の空間であることが好ましい。
【００４４】
次に、図１０に示すように、空間Ｓに第２流出管路１２を配置する工程を行う。そして、第２流出管路１２を第１流出口５３および下水本管２５に接続する工程を行う。ここでは、第１流出口５３を閉塞している封止キャップ５８（図９参照）を取り外して、第１流出口５３に第２流出管路１２の上流端を嵌め込む。このとき、第２流出管路１２の上流端が第１流出口５３から外れないように、接着剤などで固定してもよい。次に、第２流出管路１２の下流端と下水本管２５とを接続する。ここでは、下水本管２５には、第２流出管路１２と連通する孔（図示せず）が形成されている。上記孔と第２流出管路１２とを連通させるようにして、第２流出管路１２の下流端と下水本管２５とを接続する。この第２流出管路１２と下水本管２５との接続方法は特に限定されず、例えば、接合材を利用して接続してもよい。
【００４５】
なお、本実施形態では、流出管路１０、すなわち、第１流出管路１１または流出管路１３を切断する工程を行うことなく、第１流出口５３と下水本管２５とを接続する工程を行うことができる。例えば、流出管路１０を切断する工程を行う場合、図１に示すように、流出管路１０の切断する箇所の土砂を取り除いて、空間Ａを形成する。しかし、本実施形態のように流出管路１０を切断する工程を行わない場合は、空間Ａよりも小さな空間Ｓを形成すればよい。本実施形態では、流出管路１０を切断する工程を行わないため、切断するための作業スペースを確保する必要がない。よって、作業コストを削減することができると共に、作業時間を短縮することができる。
【００４６】
次に、第２流出管路１２に土砂を被せて、空間Ｓを埋める工程を行う。このようにして、第２流出管路１２を配置する作業が完了する。
【００４７】
次に、作業者は、流入口５２から第２流出口５４へ汚水が流れないように流入口５２と第１流出口５３とを連通させるように、蓋体４２を配置する工程を行う。具体的には、作業者は、蓋体４２を第２流出口５４に装着することによって、第２流出口５４を塞ぐ。蓋体４２は、例えば以下のようにして第２流出口５４に装着することができる。先ず、図２に示すように、作業者は、点検筒５６に被せられた蓋５７を取り外す。次に、作業者は、手に蓋体４２の持ち手６２を持った状態で、点検筒５６に手を挿入する。そして、蓋体４２の嵌合凸部６３を第２流出口５４に嵌合させることで、蓋体４２を第２流出口５４に装着する。なお、手で持ち手６２を持った状態で、蓋体４２を第２流出口５４に装着することができない場合は、例えば先端にフックを有する棒状体などを使用し、上記フックを持ち手６２に引っ掛けて蓋体４２を第２流出口５４に装着すればよい。
【００４８】
汚水排出システム１Ａと下水本管２５とが接続された場合、排水設備５から排出され、流入口５２からます本体４１に流入した汚水は、第２流出口５４から浄化槽７０へ排出されず、第２流出口５４を閉塞している蓋体４２の上方を通り、第１流出口５３からます本体４１の外へ流出する。第１流出口５３から流出した汚水は、第２流出管路１２を通じて下水本管２５へ排出される。
【００４９】
以上のように、本実施形態では、下水道の設備が整備されていない場合、汚水ます４０の蓋体４２を第２流出口５４から取り外すことで、排水設備５から排出された汚水は、第２流出口５４を通じて浄化槽７０へ排出される。一方、下水本管２５などの下水道の設備が整備された場合、第２流出管路１２の上流端を汚水ます４０の第１流出口５３に接続し、第２流出管路１２の下流端を下水本管２５に接続する。さらに、蓋体４２を第２流出口５４に装着することで汚水の流路を切り替える。このことによって、図１０に示すように、排水設備５から排出された汚水は、汚水ます４０の第１流出口５３から下水本管２５へ排出される。よって、従来のような管路を切断する工程を行うことなく、排水設備５と下水本管２５とを繋ぐ作業をすることができる。したがって、作業コストを削減することができると共に、作業時間を短縮することができる。
【００５０】
排水設備５から排出される汚水には、トイレットペーパーなどの異物が含まれる場合があり、その異物がます本体４１内に堆積する場合がある。そのため、異物によって、汚水ます４０の流路切替機能が損なわれるおそれがある。しかし、本実施形態では、図４に示すように、汚水ます４０は点検口５１を備えているため、ます本体４１内のメンテナンスが容易である。よって、ます本体４１内に異物が詰まった場合、点検口５１から異物を容易に取り除くことができる。したがって、流路切替機能を十分に確保することができ、蓋体４２の第２流出口５４への着脱ができない事態を回避し易くなる。
【００５１】
また、本実施形態では、第２流出口５４は、流入口５２および第１流出口５３よりも低い位置に設けられ、かつ下方に開口している。蓋体４２は、第２流出口５４に着脱自在に設けられている。このことによって、蓋体４２を第２流出口５４に装着すると、流入口５２と第１流出口５３とが連通し、流入口５２と第２流出口５４との連通が遮断される。よって、流入口５２からます本体４１に流入した汚水は、第２流出口５４から流出しない。一方、蓋体４２を第２流出口５４から取り外すと、流入口５２と第１流出口５３と第２流出口５４とが連通する。しかし、第２流出口５４は、流入口５２および第１流出口５３よりも低い位置に設けられている。よって、流入口５２からます本体４１に流入した汚水は、第１流出口５３から流出するのではなく、第２流出口５４から流出する。したがって、蓋体４２を第２流出口５４に装着したり、第２流出口５４から取り外したりすることによって、汚水の流路を容易に切り替えることができる。
【００５２】
本実施形態では、浄化槽７０は、汚水を浄化する浄化手段としての微生物を備えた槽である。このことによって、浄化槽７０内において、微生物によって汚水を浄化することができる。よって、浄化した処理水を河川などに放流することができる。
【００５３】
本実施形態では、図１に示すように、汚水ます４０の第１流出口５３には、第１流出口５３を閉塞する封止キャップ５８が設けられている。下水本管２５などの下水道の設備が整備されておらず、排水設備５から排出された汚水が第２流出口５４を通じて浄化槽７０へ排出されるときに、その汚水がます本体４１内に勢いよく流入した場合、その汚水が第２流出口５４を越えて第１流出口５３から外部へ流出することがある。しかし、本実施形態では、第１流出口５３は、封止キャップ５８によって閉塞されているため、汚水が第１流出口５３から外部へ流出することを防止することができる。
【００５４】
以上、第１実施形態に係る汚水排出システム１Ａについて説明した。しかし、本発明に係る汚水排出システムは、第１実施形態に係る汚水排出システム１Ａに限らず、他の種々の形態で実施することができる。次に、他の実施形態について簡単に説明する。なお、以下の説明では、既に説明した構成と同様の構成は同じ符号を付し、その説明は省略することとする。
【００５５】
＜第２実施形態＞
次に、第２実施形態に係る汚水排出システム１Ｂについて説明する。図１１は、第２実施形態に係る汚水排出システム１Ｂの平面図である。図１１に示すように、汚水ます４０は、公共ますである。公共ますとは、敷地内に配置された排水設備５から排出された汚水が合流するものであり、いわゆる最終ますのことである。また、公共ますとは、管路を介して下水本管２５に接続されるものであり、公共ますと下水本管２５とを繋ぐ管路内には、他のますが設けられていない。なお、図１１において、汚水ます４０は、１つの排水設備５が接続されている。しかし、複数の排水設備５が汚水ます４０に接続されていてもよい。また、敷地内において、排水設備５と汚水ます４０とを繋ぐ第１流出管路１１には、他のますが設けられていてもよい。
【００５６】
本実施形態では、汚水ます４０は公共ますであるため、下水本管２５などの下水道の設備が整備された場合、汚水ます４０と下水本管２５とを繋げる管路を短くすることができる。また、汚水ます４０と下水本管２５とを繋げる管路内に、他のますを設けなくてもよい。そのため、作業コストを削減することができると共に、作業時間を短縮することができる。
【００５７】
＜第３実施形態＞
次に、第３実施形態に係る汚水排出システム１Ｃについて説明する。第１実施形態では、汚水排出システム１Ａと下水本管２５とを接続する際に、第２流出管路１２を配置していた。しかし、第２流出管路１２は、事前に配置されていてもよい。
【００５８】
図１２は、第３実施形態に係る汚水排出システム１Ｃの平面図である。図１２に示すように、汚水排出システム１Ｃの流出管路１０は、事前に地中に埋設された第２流出管路１２を備えている。第２流出管路１２の上流端は、汚水ます４０の第１流出口５３に接続されている。第２流出管路１２の下流端は、下水本管２５に接続可能である。ここでは、第２流出管路１２の下流端には、第１実施形態の封止キャップ５８（図１参照）と同様の封止キャップ５９が設けられている。第２流出管路１２の下流端は、封止キャップ５９によって閉塞されている。
【００５９】
本実施形態では、下水本管２５（図９参照）などの下水道の設備が整備され、汚水ます４０の第１流出口５３と下水本管２５とを接続する場合、第１流出口５３と下水本管２５とを繋ぐ第２流出管路１２は、既に配置されている。そのため、第２流出管路１２を配置する箇所の土砂を取り除く工程は行わずに、第２流出管路１２の下流端と下水本管２５とを接続する箇所の土砂を取り除く工程を行う。そして、第２流出管路１２の下流端を閉塞する封止キャップ５９を取り外す。次に、第２流出管路１２の下流端に公共ます２６（図１０参照）を接続し、公共ます２６と下水本管２５とを他の管路によって繋げる。その後、その接続箇所に土砂を被せる。
【００６０】
このように、本実施形態では、汚水ます４０と下水本管２５とを接続する第２流出管路１２が事前に第１流出口５３に接続され、地中に埋設されている。そのため、排水設備５から排出された汚水を下水本管２５に排出するために、排水設備５と下水本管２５との汚水の流路を繋ぐ作業をする際、第２流出管路１２を設置するための穴を掘る必要がない。よって、作業コストを削減することができると共に、作業時間を短縮することができる。本実施形態では、下水本管２５の設置場所が予め分かっている場合に有用である。
【００６１】
＜第４実施形態＞
次に、第４実施形態に係る汚水排出システム１Ｄについて説明する。図１３は、第４実施形態に係る汚水排出システム１Ｄの平面図である。図１３に示すように、汚水排出システム１Ｄの流出管路１０は、事前に地中に埋設された第２流出管路１２を備えている。第２流出管路１２の上流端は、汚水ます４０の第１流出口５３に接続されている。第２流出管路１２の下流端は、公共ます２６に接続されている。本実施形態では、公共ます２６は、第２流出管路１２の下流端に事前に接続されており、地中に埋設されている。なお、公共ます２６の流出口２６ａには、第１実施形態の封止キャップ５８（図１参照）と同様の封止キャップ６０が設けられていてもよい。この場合、公共ます２６の流出口２６ａは、封止キャップ６０によって閉塞されている。
【００６２】
本実施形態では、下水本管２５（図９参照）などの下水道の設備が整備され、汚水ます４０の第１流出口５３と下水本管２５とを接続する場合、第１流出口５３と下水本管２５とを繋ぐ第２流出管路１２、および、公共ます２６は、既に配置されている。そのため、第２流出管路１２および公共ます２６を配置する箇所の土砂を取り除く工程は行わずに、公共ます２６と下水本管２５とを接続する箇所の土砂を取り除く工程を行う。次に、公共ます２６の流出口２６ａを閉塞する封止キャップ６０を取り外す。そして、公共ます２６と下水本管２５とを他の管路によって繋げる。その後、その接続箇所に土砂を被せる。
【００６３】
本実施形態では、事前に配置された第２流出管路１２の下流端には、公共ます２６が事前に接続されている。そのため、下水本管２５などの下水道の設備が整備された場合、公共ます２６と下水本管２５とを繋げる管路を設置すればよい。また、公共ます２６と下水本管２５とを繋げる管路には、他のますは配置されない。よって、作業コストを削減することができると共に、作業時間を短縮することができる。
【００６４】
＜第５実施形態＞
次に、第５実施形態に係る汚水排出システム１Ｅについて説明する。上記各実施形態では、汚水ます４０と浄化槽７０とは、流出管路１３を介して間接的に接続されていた。しかし、第５実施形態に係る汚水排出システム１Ｅでは、汚水ます４０は、浄化槽７０と直接接続されている。
【００６５】
図１４は、第５実施形態に係る汚水排出システム１Ｅの正面図である。図１４に示すように、浄化槽７０の上面の上流側には、接続口７２が形成されている。汚水ます４０は、第２流出口５４と接続口７２とが連通するように、浄化槽７０の上に載置されている。
【００６６】
このように、本発明の浄化槽７０と汚水ます４０との「接続」とは、第５実施形態のように、浄化槽７０と汚水ます４０とが直接接続されている場合と、第１〜第４実施形態のように、浄化槽７０と汚水ます４０とが間接的に接続されている場合とを含む。
【００６７】
本実施形態のように、汚水ます４０が浄化槽７０と直接接続されていることによって、部品点数を削減することができる。よって、コストを削減することができる。また、汚水ます４０の点検口５１から浄化槽７０内を点検することができる。そのため、本実施形態では、点検口５１は浄化槽７０の点検口としても機能する。
【００６８】
＜第６実施形態＞
次に、第６実施形態に係る汚水排出システム１Ｆについて説明する。上記各実施形態では、浄化槽７０は、汚水ます４０の第２流出口５４に接続されていた。そして、下水道の設備が整備されていない地域では、排水設備５から排出された汚水は、第２流出口５４から浄化槽７０へ排出されていた。しかし、浄化槽７０における汚水ます４０の接続箇所は、第２流出口５４に限定されない。
【００６９】
図１５は、第６実施形態に係る汚水排出システム１Ｆの平面図である。図１６は、汚水排出システム１Ｆの正面図である。以下の説明では、第１流出口５３が本発明の「第２流出口」に対応し、第２流出口５４が本発明の「第１流出口」に対応している。図１５に示すように、本実施形態では、汚水ます４０の第１流出口５３には、流出管路１３の上流端が接続されている。図１６に示すように、流出管路１３の下流端には、浄化槽７０の接続口７２が接続されている。すなわち、第１流出口５３と浄化槽７０とは、流出管路１３を介して間接的に接続されている。なお、第１流出口５３と浄化槽７０とは、直接接続されていてもよい。また、本実施形態では、汚水ます４０の第２流出口５４には、第２流出管路１２の上流端が接続されている。第２流出管路１２の下流端には、下水本管２５（図９参照）が接続可能である。
【００７０】
次に、本実施形態に係る汚水排出システム１Ｆの利用方法について説明する。本実施形態では、排水設備５から排出された汚水が浄化槽７０に排出されるとき、汚水ます４０の第２流出口５４は、蓋体４２によって塞がれており、閉塞された状態である。排水設備５から排出された汚水は、第１流出管路１１に流入し、汚水ます４０の流入口５２からます本体４１に流入する。ます本体４１に流入した汚水は、第２流出口５４を閉塞している蓋体４２の上方を通り、第１流出口５３からます本体４１の外へ流出する。第１流出口５３から流出した汚水は、流出管路１３を通じて浄化槽７０へ排出される。
【００７１】
次に、本実施形態に係る汚水排出システム１Ｆと下水本管２５とを接続する手順について簡単に説明する。先ず、第２流出口５４が接続された第２流出管路１２の下流端と、下水本管２５との接続箇所の土砂を取り除き、空間を形成する工程を行う。このとき、上記空間は、第２流出管路１２の下流端および下水本管２５の接続箇所が露出していることが好ましい。次に、第２流出管路１２の下流端と下水本管２５とを接続する工程を行う。このとき、第２流出管路１２の下流端と下水本管２５とが離れている場合は、他の配管（図示せず）を介して、第２流出管路１２の下流端と下水本管２５とを接続してもよい。次に、第２流出管路１２の下流端と下水本管２５との接続箇所に土砂を被せて、上記空間を埋める工程を行う。
【００７２】
次に、作業者は、流入口５２から第１流出口５３へ汚水が流れないように流入口５２と第２流出口５４とを連通させるように、蓋体４２を配置する工程を行う。具体的には、作業者は、蓋体４２を第２流出口５４から取り外すことによって、第２流出口５４を開放する。汚水ます４０の蓋体４２は、例えば以下のようにして取り外すことができる。先ず、作業者は、点検筒５６に被せられた蓋５７を取り外す。次に、作業者は点検筒５６に手を挿入し、蓋体４２の持ち手６２（図７参照）を持って蓋体４２を引き上げる。これにより、汚水ます４０の第２流出口５４が開放される。なお、持ち手６２に手が届かないような場合は、例えば先端にフックを有する棒状体などを使用し、上記フックを持ち手６２に引っ掛けて蓋体４２を引き上げればよい。
【００７３】
本実施形態では、汚水排出システム１Ｆと下水本管２５とが接続された場合、排水設備５から排出され、流入口５２からます本体４１に流入した汚水は、第１流出口５３から浄化槽７０へ排出されず、蓋体４２から開放された第２流出口５４からます本体４１の外へ流出する。第２流出口５４から流出した汚水は、第２流出管路１２を通じて下水本管２５へ排出される。
【００７４】
以上、本実施形態によれば、下水道の設備が整備されていない場合、汚水ます４０の蓋体４２を第２流出口５４に装着することで、排水設備５から排出された汚水を汚水ます４０の第１流出口５３から浄化槽７０へ排出することができる。一方、下水本管２５などの下水道の設備が整備された場合、汚水ます４０の第２流出口５４に接続された第２流出管路１２の下流端を下水本管２５に接続する。さらに、蓋体４２を第２流出口５４から取り外すことで汚水の流路を切り替える。このことによって、排水設備５から排出された汚水を汚水ます４０の第２流出口５４から下水本管２５へ排出することができる。よって、本実施形態であっても、従来のような管路を切断する工程を行うことなく、排水設備５と下水本管２５とを繋ぐ作業をすることができるため、作業コストを削減することができると共に、作業時間を短縮することができる。
【００７５】
また、本実施形態では、汚水ます４０と下水本管２５（図９参照）とを接続する第２流出管路１２が事前に第１流出口５４に接続され、地中に埋設されている。そのため、排水設備５から排出された汚水を第２流出口５４から下水本管２５に排出するために、排水設備５と下水本管２５との汚水の流路を繋ぐ作業をする際、第２流出管路１２を設置するための穴を掘る必要がない。よって、作業コストを削減することができると共に、作業時間を短縮することができる。なお、第２流出管路１２は、汚水排出システム１Ｆと下水本管２５とを接続する際に、地中に配置し、このときに第１流出口５３に接続されてもよい。
【符号の説明】
【００７６】
１Ａ、１Ｂ、１Ｃ、１Ｄ、１Ｅ、１Ｆ  汚水排出システム
５  排水設備
１０  流出管路
１１  第１流出管路
１２  第２流出管路
１３  流出管路
２５  下水本管
４０  汚水ます
４１  ます本体
４２  蓋体（切替手段）
５１  点検口
５２  流入口
５３  第１流出口
５４  第２流出口
５８  封止キャップ
７０  浄化槽（貯留手段）
【図１】
2015137469.tif 000003
【図２】
2015137469.tif 000004
【図３】
2015137469.tif 000005
【図４】
2015137469.tif 000006
【図５】
2015137469.tif 000007
【図６】
2015137469.tif 000008
【図７】
2015137469.tif 000009
【図８】
2015137469.tif 000010
【図９】
2015137469.tif 000011
【図１０】
2015137469.tif 000012
【図１１】
2015137469.tif 000013
【図１２】
2015137469.tif 000014
【図１３】
2015137469.tif 000015
【図１４】
2015137469.tif 000016
【図１５】
2015137469.tif 000017
【図１６】
2015137469.tif 000018